(57)【要約】【課題】ロック用孔を有する各部材を密着するように当接させて、ロック用孔を有する各部材の厚み方向の寸法精度を設計値どおりに確保し、ロックキーを各ロック用孔に挿入して確実にロックすることができるロック構造を備えた電子機器を提供する。【解決手段】サイドパネル４に設けたサイドパネル側突起部７の先端部には、ベースパネル３に設けたベースパネル側突起部５の先端部を挟み込むようにして該ベースパネル側突起部５をサイドパネル側突起部７に密着させた状態で係止する折り返し部７ａが形成されており、サイドパネル４を移動させてベースパネル３の開口面３ａに装着した際に、折り返し部７ａにより同じ位置に当接した第１スロット部６と第２スロット部８にケンジントンロック９のロックキー１０を挿入して回転させることで、サイドパネル４がベースパネル３にロックされる。【選択図】図１
2014052762.tif 000002
【特許請求の範囲】
【請求項１】
開口面を有する箱型の電子機器本体と、前記開口面の一方側端部から他方側端部に向けて移動させることで前記開口面を覆うようにして着脱可能に装着されるパネル部材とを有し、前記開口面に装着された前記パネル部材を施錠手段を介してロックするロック構造を備えた電子機器であって、
前記電子機器本体の前記開口面の一方側端部に、第１のロック孔を有する第１突起部を前記パネル部材の移動方向に沿って設けるとともに、前記パネル部材の前記開口面の一方側端部に対応する一方側端部に、第２のロック孔を有する第２突起部を前記パネル部材の移動方向に沿って設け、
前記パネル部材を、前記開口面の一方側端部から他方側端部に向けて移動させて前記開口面に装着した際に、前記第１突起部と前記第２突起部の前記第１、第２のロック孔が同じ位置で当接するように、前記第２突起部の先端部には、前記第１突起部の先端部を挟み込むようにして該第１突起部を前記第２突起部に密着させた状態で係止する係止部が形成されており、
前記パネル部材を移動させて前記開口面に装着した際に、前記係止部により同じ位置に当接した前記第１、第２のロック孔に前記施錠手段のロックキーを挿入して回転させることで、前記パネル部材が前記電子機器本体にロックされることを特徴とするロック構造を備えた電子機器。
【請求項２】
前記施錠手段によるロック動作時の前記ロックキーの回転に連動して、前記パネル部材を前記電子機器本体の前記開口面の両側縁部に固定する固定機構を有していることを特徴とする請求項１に記載のロック構造を備えた電子機器。
【請求項３】
前記固定機構は、前記ロックキーが挿入される係合穴を有する第１回転板と、前記第１回転板の一端側に揺動可能に連結され、前記パネル部材の長手方向に沿って移動可能に保持されたクランク軸部材と、前記クランク軸部材の他端側に回転可能に連結された第２回転板と、前記第２回転板に揺動可能に連結され、前記クランク軸部材と直交する両方向に移動可能にそれぞれ保持された第１、第２のスライド軸部材とを備え、
前記係合穴に挿入された前記ロックキーの回転により前記第１回転板が回転され、前記第１回転板の回転に伴って前記クランク軸部材が前記パネル部材の長手方向に沿って移動し、前記クランク軸部材の移動に伴って前記第２回転板が回転して、更に、前記第２回転板の回転に伴って第１、第２のスライド軸部材が前記クランク軸部材と直交する両方向にそれぞれ移動し、
前記第１、第２のスライド軸部材の各先端側が、前記パネル部材の両側端部と前記電子機器本体の前記開口面の両側縁部にそれぞれ設けた貫通孔に挿入されることで、前記パネル部材が前記電子機器本体の前記開口面の両側縁部に固定されることを特徴とする請求項２に記載のロック構造を備えた電子機器。
【請求項４】
前記施錠手段は、ケンジントンロックであることを特徴とする請求項１乃至３のいずれか一項に記載のロック構造を備えた電子機器。
【発明の詳細な説明】
【技術分野】
【０００１】
本発明は、ロック構造を備えた電子機器に関する。
【背景技術】
【０００２】
例えば、ディスクトップ型のパソコン（パーソナルコンピュータ）などの電子機器は、装置内部のハードディスクなどの記憶媒体に機密情報が含まれている場合が多く、また装置内部には高価な各種ユニット部品も多数実装されているので、これらの盗難、破壊等を防止するためのセキュリティ機能が求められる。このため、これらの電子機器には、装置自体の盗難や装置内部の記憶媒体や各種ユニット部品の盗難を防止するためのロック構造が設けられている（例えば、特許文献１参照）。
【０００３】
特許文献１では、ディスクトップコンピュータの筐体の側面を覆うサイドカバーの側面側に、このサイドカバーに固定されるように設けたロック用孔と、サイドカバーの取外し用のオープンボタンの押下げに連動して可動するように設けたロック用孔とが近接して設置されている。そして、筐体にサイドカバーが取付けられている状態で、両方のロック用孔にケンジントンロックのＴ字型のロックキーを挿入し、挿入したロックキーを回転させてロックすることでオープンボタンが押下げできないようにしている。
【０００４】
このようなロック構造により、筐体からサイドカバーを取外すことができなくため、内部の記憶媒体や各種ユニット部品の盗難を防止可能としている。
【発明の概要】
【発明が解決しようとする課題】
【０００５】
ところで、前記特許文献１のようなロック構造では、ロック用孔を有する各部材の組付け誤差等による各部材の厚み方向の位置ずれによって各部材の間に隙間が生じていると、挿入される前記Ｔ字型のロックキーの長さ寸法よりも前記各部材の厚み寸法の方が大きくなるおそれがある。このため、ロックキーを各ロック用孔に挿入してもロックキーを回転させることができず、ロックができなくなる。
【０００６】
そこで、本発明は、ロック用孔を有する各部材を密着するように当接させて、ロック用孔を有する各部材の厚み方向の寸法精度を設計値どおりに確保し、ロックキーを各ロック用孔に挿入して確実にロックすることができるロック構造を備えた電子機器を提供することを目的とする。
【課題を解決するための手段】
【０００７】
前記目的を達成するために請求項１に記載の発明は、開口面を有する箱型の電子機器本体と、前記開口面の一方側端部から他方側端部に向けて移動させることで前記開口面を覆うようにして着脱可能に装着されるパネル部材とを有し、前記開口面に装着された前記パネル部材を施錠手段を介してロックするロック構造を備えた電子機器であって、前記電子機器本体の前記開口面の一方側端部に、第１のロック孔を有する第１突起部を前記パネル部材の移動方向に沿って設けるとともに、前記パネル部材の前記開口面の一方側端部に対応する一方側端部に、第２のロック孔を有する第２突起部を前記パネル部材の移動方向に沿って設け、前記パネル部材を、前記開口面の一方側端部から他方側端部に向けて移動させて前記開口面に装着した際に、前記第１突起部と前記第２突起部の前記第１、第２の盗難防止用ロック孔が同じ位置で当接するように、前記第２突起部の先端部には、前記第１突起部の先端部を挟み込むようにして該第１突起部を前記第２突起部に密着させた状態で係止する係止部が形成されており、前記パネル部材を移動させて前記開口面に装着した際に、前記係止部により同じ位置に当接した前記第１、第２のロック孔に前記施錠手段のロックキーを挿入して回転させることで、前記パネル部材が前記電子機器本体にロックされることを特徴としている。
【発明の効果】
【０００８】
本発明によれば、第２突起部の先端部に、第１突起部を挟み込むようにして該第１突起部を第２突起部に密着させた状態で係止する係止部を形成しているので、第１、第２のロック孔を有する第１突起部と第２突起部を密着するように当接させることができる。これにより、第１、第２のロック孔を有する第１突起部と第２突起部の厚み方向の寸法精度を確保し、ロックキーを各ロック孔に挿入して確実にロックすることができる。
【図面の簡単な説明】
【０００９】
【図１】（ａ）は、本発明の実施形態に係るロック構造を備えた電子機器の筐体の外観を示す斜視図、（ｂ）は、この筐体のサイドパネルを取り外した状態を示す斜視図。
【図２】（ａ）は、開口面を有する箱型のベースパネルを示す斜視図、（ｂ）は、ベースパネルの開口面を塞ぐサイドパネルを示す斜視図。
【図３】（ａ）、（ｂ）は、サイドパネル固定機構を示す図。
【図４】（ａ）は、サイドパネル固定機構の動作を示す斜視図、（ｂ）は、サイドパネル固定機構によるサイドパネルのベースパネルへの固定と、ケンジントンロックによるサイドパネルのロック状態を示す斜視図。
【図５】（ａ）は、サイドパネルのベースパネルへの取付け開始時を示す図、（ｂ）は、サイドパネルをベースパネルへ取付けた状態を示す図。
【図６】サイドパネル側突起部の先端部にベースパネル側突起部を挟み込むように係止して密着させた状態を示す図。
【図７】（ａ）は、第１スロット部と第２スロット部を通してケンジントンロックのＴ字型のロックキーを第１回転板の係合穴に挿入した状態を示す図、（ｂ）は、ケンジントンロックのＴ字型のロックキーを回転させた状態を示す図。
【図８】比較例における、ケンジントンロックによるサイドパネルのロック状態を示す斜視図。
【図９】（ａ）は、図８の比較例における、サイドパネル側突起部とベースパネルの背面部が良好に当接した状態を示す図、（ｂ），（ｃ）は、サイドパネル側突起部とベースパネルの背面部との間に当接不良が生じている状態を示す図。
【発明を実施するための形態】
【００１０】
以下、本発明を図示の実施形態に基づいて説明する。図１（ａ）は、本発明の実施形態に係る盗難防止のためロック構造を備えた電子機器の筐体の外観を示す斜視図、図１（ｂ）は、この筐体のサイドパネルを取り外した状態を示す斜視図である。なお、本実施形態における電子機器としては、例えば、ディスクトップ型のパソコンや、複写機等の画像形成装置に着脱自在に装着される情報処理装置などが挙げられる。
【００１１】
図１（ａ），（ｂ）に示すように、この電子機器１の筐体２は、一方の側面に矩形状の開口面３ａを有する箱型の電子機器本体としてのベースパネル３と、このベースパネル３の開口面３ａを塞ぐ着脱可能なサイドパネル４で構成されている。図１（ａ），（ｂ）において、図の左側が筐体２（ベースパネル３、サイドパネル４）の背面側であり、図の右側が筐体２（ベースパネル３、サイドパネル４）の前面側である。なお、図１（ｂ）において、ベースパネル３内には、不図示のハードディスクなどの記憶媒体や各種ユニット部品などが実装されている。
【００１２】
ベースパネル３の背面のサイドパネル４側の側面に形成された直線状のベースパネル側突起部５には、ベースパネル側ロック用の孔である矩形状の第１スロット部６が設けられている。また、サイドパネル４の背面に形成された直線状のサイドパネル側突起部７には、サイドパネル側ロック用の孔である矩形状の第２スロット部８が設けられている。
【００１３】
サイドパネル４がベースパネル３の開口面３ａに取付けられた状態（図１（ａ）参照）では、第１スロット部６と第２スロット部８は同じ位置にあり、第１スロット部６と第２スロット部８に、施錠手段としてのケンジントンロック９のＴ字型のロックキー１０を挿入して回転させる施錠操作によって、サイドパネル４が取外せないようにロックされる（詳細は後述する）。
【００１４】
また、サイドパネル４の内側と背面側端部には、ケンジントンロック９による前記施錠操作に連動して、サイドパネル４をベースパネル３の開口面３ａの両側縁部に固定するためのサイドパネル固定機構１１（図２（ｂ）参照）が設けられている（サイドパネル固定機構１１の詳細については後述する）。
【００１５】
サイドパネル４の前面側（図２（ｂ）の左側）の端部中央には、ベースパネル３の前面側（図２（ａ）の右側）のフック受け部３ｂの内側に圧接するフック部４ａが形成されている。また、サイドパネル４の背面側（図２（ｂ）の右側）に設けたサイドパネル突起部７の先端部には、ベースパネル３のベースパネル突起部５の先端部を挟み込んで係止する折り返し部７ａ（図６参照）が形成されている。
【００１６】
（サイドパネル固定機構１１の構成）
次に、サイドパネル固定機構１１の構成を、図２〜図４を参照して説明する。
【００１７】
図２（ｂ）、図３（ａ），（ｂ）に示すように、サイドパネル４の内側に設けられたサイドパネル固定機構１１は、薄板状のクランク軸部材１２と、クランク軸部材１２の両端部にそれぞれ揺動可能に保持された第１回転板１３、第２回転板１４と、第２回転板１４に一端側がそれぞれ揺動可能に保持された第１スライド軸部材１５、第２スライド軸部材１６を有している。
【００１８】
クランク軸部材１２は、サイドパネル４の内面に設けたガイド部材１７ａ，１７ｂによってサイドパネル４の横方向（長手方向）に沿って移動可能に保持されている。
【００１９】
図２（ｂ）、図４（ａ）に示すように、円形状の第１回転板１３は、サイドパネル４のサイドパネル側突起部７の内側に位置する固定されたカバー部材１８内に回転可能に支持されている（図６参照）。第１回転板１３の中央部には、ケンジントンロック９のＴ字型のロックキー１０が挿入される矩形状の係合穴１３ａ（図３（ａ）、図６参照）が形成されている。なお、この係合穴１３ａと前記第１スロット部６、第２スロット部８は、同じ形状でかつ同じ大きさである。
【００２０】
図３（ａ），（ｂ）に示すように、第１回転板１３の回転中心からずれた縁部近傍に、クランク軸部材１２の一端側が揺動可能に連結されている。なお、クランク軸部材１２のこの一端側は、下方側に曲げられている。また、楕円状の第２回転板１４の回転中心からずれた縁部近傍に、クランク軸部材１２の他端側が揺動可能に連結されている。なお、図３（ｂ）は、第１回転板１３が９０度だけ右回転されたときの、連結されているクランク軸部材１２の矢印ａ方向の移動、第２回転板１４の一定角度の右回転、第２回転板１４の回転に伴う第１スライド軸部材１５の上方向（矢印ｂ方向）への移動及び第２スライド軸軸１６の下方向（矢印ｃ方向）への移動を示したものである。
【００２１】
図２（ｂ）、図４（ａ）に示すように、第１スライド軸部材１５は、サイドパネル４の内面に設けたガイド部材１９ａ，１９ｂによってサイドパネル４の一方の側面端部側に移動可能に保持されている。一方、第２スライド軸部材１６は、サイドパネル４の内面に設けたガイド部材２０ａ，２０ｂによってサイドパネル４の他方の側面端部側に移動可能に保持されている。
【００２２】
図２（ｂ）、図４（ａ）に示すように、サイドパネル４の内側の上下中央には、第１スライド軸部材１５と第２スライド軸部材１６の各先端側がそれぞれ挿通されるサイドパネル側貫通孔２１ａ，２１ｂが設けられている。また、図２（ａ）に示すように、ベースパネル３の開口面３ａの上下中央の縁部内側には、前記サイドパネル側貫通孔２１ａ，２１ｂの位置に対応するようにしてベースパネル側貫通孔２２ａ，２２ｂがそれぞれ設けられている。
【００２３】
なお、図１（ｂ）、図４（ｂ）に示すように、サイドパネル４の内面の第２回転板１４が位置する部分には、第２回転板１４の回転中心を回転可能に支持するための凸状の支持部４ｂが形成されている。第２回転板１４の回転中心には、前記凸状の支持部４ｂが当接する凹部（不図示）が形成されている。
【００２４】
（電子機器のロック構造、及びサイドパネル固定機構１１の動作）
次に、上記した電子機器のロック構造、及びサイドパネル固定機構１１の動作について説明する。
【００２５】
図５（ａ）に示すように、サイドパネル４の上側縁部と下側縁部にそれぞれ設けた上部ガイド部４ｃと下部ガイド部４ｄを、ベースパネル３の開口面３ａ側の上面縁部と下面縁部の背面側にそれぞれ当接させて、ベースパネル３の前面側（矢印Ａ方向側）へ移動させる。そして、図５（ｂ）に示すように、サイドパネル４の前面側がベースパネル３の前面端部まで移動されると、フック部４ａがフック受け部３ｂの内側に圧接することで、サイドパネル４とベースパネル３の前面側が固定される。
【００２６】
この際、図６に示すように、サイドパネル４の背面側に設けたサイドパネル側突起部７の折り返し部７ａに、ベースパネル３のベースパネル側突起部５の先端部が挟み込まれて密着状態で係止される。これにより、ベースパネル側突起部５とサイドパネル側突起部７が隙間なく当接されるため、ベースパネル側突起部５とサイドパネル側突起部７の厚み方向の寸法精度が設計値どおりに確保され、更に、ベースパネル側突起部５と第１回転板１３との間が精度よく所定間隔に保持される。
【００２７】
また、折り返し部７ａにベースパネル側突起部５の先端部が挟み込まれて精度よく所定位置に係止されることにより、サイドパネル側突起部７の第２スロット部８、ベースパネル側突起部５の第１スロット部６及び第１回転板１３の係合穴１３ａは、連通するように同じ位置にある。
【００２８】
よって、図７（ａ）に示すように、ケンジントンロック９のＴ字型のロックキー１０を、サイドパネル側突起部７の第２スロット部８とベースパネル側突起部５の第１スロット部６を通して第１回転板１３の係合穴１３ａに精度よく確実に挿入することができる。
【００２９】
そして、図７（ａ），（ｂ）に示すように、ケンジントンロック９のロックキー１０を、第２スロット部８と第１スロット部６を通して第１回転板１３の係合穴１３ａに挿入した後、ケンジントンロック９に差し込んだ鍵３０を９０度右方向に回すことで、係合穴１３ａに挿入されたロックキー１０が第１回転板１３とともに９０度右回転する。これにより、ケンジントンロック９のロックキー１０によってサイドパネル４がベースパネル３にロックされる。
【００３０】
そして、図３（ｂ）に示したように、ロックキー１０の回転によって第１回転板１３が９０度だけ右回転すると、連結されているクランク軸部材１２が矢印ａ方向（サイドパネル４の横方向）に所定距離だけ移動し、これにより、クランク軸部材１２に連結されている第２回転板１４が一定角度だけ右回転する。そして、第２回転板１４の一定角度の右回転によって、第２回転板１４に一端側がそれぞれ揺動可能に連結されている第１スライド軸部材１５が上方向（矢印ｂ方向）へ移動するとともに、第２スライド軸部材１６が下方向（矢印ｃ方向）へ移動する。
【００３１】
そして、図４（ｂ）に示したように、上方向に移動した第１スライド軸部材１５の先端側は、サイドパネル側貫通孔２１ａ及びベースパネル側貫通孔２２ａに挿通され、下方向に移動した第２スライド軸部材１６の先端側は、サイドパネル側貫通孔２１ｂ及びベースパネル側貫通孔２２ｂに挿入されることで、サイドパネル４がベースパネル３に固定される。
【００３２】
このように、本実施形態では、サイドパネル４のサイドパネル側突起部７の先端部に形成した折り返し部７ａに、ベースパネル３のベースパネル側突起部５の先端部が挟み込まれて密着状態で係止されるので、ベースパネル側突起部５とサイドパネル側突起部７が隙間なく当接される。これにより、ベースパネル側突起部５とサイドパネル側突起部７の厚み方向の寸法精度が設計値どおりに確保されるので、第２スロット部８と第１スロット部６に挿入したケンジントンロック９のロックキー１０の回転によって、盗難防止のためのロックを確実に行うことができる。
【００３３】
更に、ケンジントンロック９のロックキー１０の回転に連動して、上記したサイドパネル固定機構１１が動作することで、それぞれ上下に移動した第１スライド軸部材１５と第２スライド軸部材１６が、サイドパネル側貫通孔２１ａ、ベースパネル側貫通孔２２ａ、及びサイドパネル側貫通孔２１ｂ、ベースパネル側貫通孔２２ｂにそれぞれ挿通されることによって、サイドパネル４をベースパネル３により強固に固定することができる。
【００３４】
また、図８は、本発明に対する比較例のサイドパネルをベースパネルの開口面にロックして固定した状態を示す斜視図である。なお、前記実施形態と同一機能を有する部材には同一符号を付し、重複する説明は省略する。
【００３５】
図８に示すように、この比較例のサイドパネル４の背面側端部には、ベースパネル３の背面部３ｃ側に直角に折り曲げたサイドパネル側突起部７が設けられており、サイドパネル４をベースパネル３の側面に沿って前面側（矢印Ａ方向側）へ移動させることで、サイドパネル４とベースパネル３の前面側は、フック部（不図示）がフック受け部３ｂの内側に圧接されることで固定される。
【００３６】
一方、サイドパネル４とベースパネル３の背面側は、当接したサイドパネル側突起部７とベースパネル３の背面部３ｃにそれぞれ形成された、第２スロット部８と第１スロット部６（図９（ａ）参照）に、ケンジントンロック９のＴ字型のロックキー（不図示）を挿入して回転させる施錠操作によってロックされる。
【００３７】
ところで、この比較例では、図９（ａ）に示すように、直角に折り曲げられたサイドパネル側突起部７がベースパネル３の背面部３ｃに隙間なく密着するように当接している正常時の場合は、両者の厚み方向の寸法精度が設計値どおりに出ているので、施錠操作時に第１スロット部６の縁部周囲に、ケンジントンロック９のＴ字状のロックキー（不図示）が引っかかることなく、良好にロックすることができる。
【００３８】
しかしながら、例えば、図９（ｂ）に示すように、サイドパネル側突起部７の曲げ加工不良で直角に曲げられていない場合や、図９（ｃ）に示すように、ベースパネル３やサイドパネル４の寸法誤差などによる影響でベースパネル３の背面部３ｃとサイドパネル側突起部７との間に隙間が生じている場合は、ベースパネル３の背面部３ｃとサイドパネル側突起部７との間の厚み方向の寸法精度が悪くなる。このため、施錠操作時に第１スロット部６の縁部周囲に、ケンジントンロック９のＴ字状のロックキー（不図示）が引っかかって回転させることができなくなり、ロックができないことがある。
【００３９】
これに対して、本実施形態では、上記したように直線状のサイドパネル側突起部７の先端部に形成した折り返し部７ａに、直線状のベースパネル側突起部５の先端部が挟み込まれて密着状態で係止されるので、ベースパネル側突起部５とサイドパネル側突起部７が隙間なく当接される。これにより、ベースパネル側突起部５とサイドパネル側突起部７の厚み方向の寸法精度が設計値どおりに確保されるので、第２スロット部８と第１スロット部６に挿入したケンジントンロック９のロックキー１０によって確実にロックすることができる。
【００４０】
また、この比較例では、ベースパネル３の背面部３ｃにケンジントンロック９が装着されるので、ベースパネル３の背面部３ｃでの各種端子等の設置面積が小さくなるが、本実施形態では、上記したようにベースパネル３の背面側の側面端部にケンジントンロック９が装着されるので、ベースパネル３の背面での各種端子等の設置面積を多く確保することができる。
【符号の説明】
【００４１】
１        電子機器
２        筐体
３        ベースパネル（電子機器本体）
３ａ      開口面
４        サイドパネル（パネル部材）
５        ベースパネル側突起部（第１突起部）
６        第１スロット部（第１のロック孔）
７        サイドパネル側突起部（第２突起部）
７ａ      折り返し部（係止部）
８        第２スロット部（第２のロック孔）
９        ケンジントンロック（施錠手段）
１０      ロックキー
１１      サイドパネル固定機構
【先行技術文献】
【特許文献】
【００４２】
【特許文献１】特開２００５−３２２００１号公報
【図１】
2014052762.tif 000003
【図２】
2014052762.tif 000004
【図３】
2014052762.tif 000005
【図４】
2014052762.tif 000006
【図５】
2014052762.tif 000007
【図６】
2014052762.tif 000008
【図７】
2014052762.tif 000009
【図８】
2014052762.tif 000010
【図９】
2014052762.tif 000011